(57)【要約】【課題】フィルターの交換あるいはお手入れ時期は表示できるが、表示時期までにフィルターの清浄能力が低下する従来の空気清浄機を解決するものであり、フィルターの清浄能力低下を常時表示し、効率低下を防ぐ空気清浄機を提供することを目的としている。【解決手段】空気中の汚れを測定するほこりセンサー６を設け、フィルター３に蓄積された汚れを演算し、能力低下を表示部８で表示することで、使用者に、フィルター３の能力低下の変化を知らせ、フィルター３の能力低下を未然に防ぐための汚れ制御手段１５を備える空気清浄機である。【選択図】図１
2008237970.tif 000002
【特許請求の範囲】
【請求項１】
空気を吸い込む吸気口と、吸い込んだ空気を清浄する清浄手段と、この清浄手段に通風する送風手段と、空気を吹き出す排気口を備えた空気清浄機において、空気中の汚れを検知する汚れセンサーを備え、前記汚れセンサーにより空気中の汚れを検知し、検知結果に応答して前記清浄手段の汚れ進行度を判断し記憶する汚れ制御手段を備えたことを特徴とする空気清浄機。
【請求項２】
前記測定結果により清浄手段の汚れ進行度を表示する表示部を備えたことを特徴とする請求項１に記載の空気清浄機。
【請求項３】
前記測定結果により清浄手段の汚れの原因を表示することを特徴とする請求項２に記載の空気清浄機。
【請求項４】
前記測定結果により清浄手段の交換時期あるいはお手入れ時期を表示することを特徴とする請求項２に記載の空気清浄機。
【請求項５】
汚れセンサーにより検知される汚れは少なくとも２種類以上であることを特徴とした請求項３に記載の空気清浄機。
【請求項６】
清浄手段の交換時期あるいはお手入れ時期を表示する時期は清浄手段の汚れの原因によって相違することを特徴とした請求項４に記載の空気清浄機。
【請求項７】
清浄手段の汚れ進行度表示手段をＬＥＤの色の変化を用いて表示することを特徴とした請求項２に記載の空気清浄機。
【請求項８】
清浄手段の汚れ進行度表示手段をＬＥＤの点灯あるいは／および点滅あるいは／および明滅を用いて表示することを特徴とした請求項２に記載の空気清浄機。
【請求項９】
清浄手段の汚れの原因別に清浄手段の汚れ進行度を表示することを特徴とした請求項２に記載の空気清浄機。
【請求項１０】
清浄手段の交換時期あるいはお手入れ時期を表示する基準値を切替えできる汚れ表示基準値切替手段を備えたことを特徴とする請求項１に記載の空気清浄機。
【請求項１１】
清浄手段の汚れの進行度をリセットするリセットスイッチを備えたことを特徴とする請求項１に記載の空気清浄機。
【請求項１２】
清浄手段に汚れ進行度表示を使用者がＯＮ／ＯＦＦできることを特徴とする請求項２に記載の空気清浄機。
【発明の詳細な説明】
【技術分野】
【０００１】
本発明は、室内空間に浮遊する埃や煙草などの汚染物質を含んだ汚染空気を吸い込んで清浄し、清浄後の空気を室内に吹きだす機能を備えた空気洗浄機に関する。
【背景技術】
【０００２】
従来、この種の空気清浄機は下記に記載されたものが知られている。
【０００３】
以下、その空気清浄機について図を参照しながら説明する。
【０００４】
図に示すように空気清浄機本体１０１には空気を吸い込む吸気口１０２と、空気を清浄するフィルター１０３と、フィルターに通風するファン１０４と、このファンを運転制御する制御部１０５と、排気口１０６と、空気の汚れを検出する汚れセンサー１０７と表示部１０８を備え、汚れセンサー１０７が汚れを検出し、検出値が所定レベル以上となった時点で表示部１０８にフィルター１０３の交換表示を行っている（例えば、特許文献１参照）。
【特許文献１】特開平０９‐２２５２５１号公報
【発明の開示】
【発明が解決しようとする課題】
【０００５】
このような従来の空気清浄機では、フィルターの交換時期は表示できるが、交換するまでに清浄能力は低下しており、フィルターの汚れレベルが最大となる前に使用者に表示することが要求されている。
【０００６】
本発明は、このような従来の課題を解決するものであり、汚れ手段により汚れを測定しフィルターの汚れ進行度を表示することで、汚れレベルが最大となる前に、使用者に表示し、知らせ、ファイルターの性能低下を防ぐことを目的としている。
【課題を解決するための手段】
【０００７】
本発明の空気清浄機は上記目的を達成するために、空気を吸い込む吸気口と、吸い込んだ空気を清浄する清浄手段と、この清浄手段に通風する送風手段と、空気を吹き出す排気口を備えた空気清浄機において、空気中の汚れを検知する汚れセンサーを備え、前記汚れセンサーにより空気中の汚れを検知し、検知結果に応答して前記清浄手段の汚れ進行度、すなわち、汚れ度合いを判断し記憶する汚れ制御手段を備えたものである。
【０００８】
この手段により、清浄手段の汚れ進行度、汚れ度合いを的確に把握でき、清浄手段の性能低下を防ぐ空気清浄機が得られる。
【０００９】
また、本発明の空気清浄機は上記目的を達成するために、測定結果により清浄手段の汚れ進行度を表示する表示部を備えたものである。
【００１０】
この手段により、清浄手段の汚れ進行度を表示することで、汚れ度合いが最大となる前に使用者に知らせ、清浄手段の性能低下を防ぐ空気清浄機が得られる。
【００１１】
また、本発明の空気清浄機は上記目的を達成するために、測定結果により清浄手段の汚れの原因を表示するものである。
【００１２】
この手段により、清浄手段の汚れ原因を表示することで、使用者に使用環境での汚れ状況を的確に知らせる空気清浄機が得られる。
【００１３】
また、本発明の空気清浄機は上記目的を達成するために、測定結果により清浄手段の交換時期あるいはお手入れ時期を表示するものである。
【００１４】
この手段により、清浄の性能が低下する前に使用者に知らせることができる空気清浄機が得られる。
【００１５】
また、本発明の空気清浄機は上記目的を達成するために、汚れセンサーにより検知される汚れは少なくとも２種類以上であるものである。
【００１６】
この手段により、使用者に汚れ状況を詳細に知らせることができる空気清浄機が得られる。
【００１７】
また、本発明の空気清浄機は上記目的を達成するために、清浄手段の交換時期あるいはお手入れ時期を表示する時期は清浄手段の汚れの原因によって相違するものである。
【００１８】
この手段により、清浄の性能が低下する前に使用者に知らせることができる空気清浄機が得られる。
【００１９】
また、本発明の空気清浄機は上記目的を達成するために、清浄手段の汚れ進行度表示手段をＬＥＤの色の変化を用いて表示するものである。
【００２０】
この手段により、空気清浄機本体から離れた場所からでも汚れの状況が確認できる空気清浄機が得られる。
【００２１】
また、本発明の空気清浄機は上記目的を達成するために、清浄手段の汚れ進行度表示手段をＬＥＤの点灯あるいは／および点滅あるいは／および明滅を用いて表示するものである。
【００２２】
この手段により、空気清浄機本体から離れた場所からでも汚れの状況が確認できる空気清浄機が得られる。
【００２３】
また、本発明の空気清浄機は上記目的を達成するために、清浄手段の汚れの原因別に清浄手段の汚れ進行度を表示するものである。
【００２４】
この手段により、清浄の性能が低下する前に使用者に知らせることができる空気清浄機が得られる。
【００２５】
また、本発明の空気清浄機は上記目的を達成するために、清浄手段の交換時期あるいはお手入れ時期を表示する基準値を切替えできる汚れ表示基準値切替手段を備えたものである。
【００２６】
この手段により、使用者の生活環境に適した空気清浄機が得られる。
【００２７】
また、本発明の空気清浄機は上記目的を達成するために、清浄手段の汚れの進行度をリセットするリセットスイッチを備えたものである。
【００２８】
この手段により、使用者の生活環境に適した空気清浄機が得られる。
【００２９】
また、本発明の空気清浄機は上記目的を達成するために、清浄手段に汚れ進行度表示を使用者がＯＮ／ＯＦＦできるものである。
【００３０】
この手段により、汚れ進行度表示を必要とするときは、表示ＯＮにより汚れ進行度が分かり、また、汚れ進行度表示を必要としないときは表示ＯＦＦとすることで、睡眠中に光によって使用者に不快感を与えることなく、また、表示を必要としないとき省エネすることができる空気清浄機が得られる。
【発明の効果】
【００３１】
本発明によれば、清浄手段の汚れ進行度を知らせ、汚れによる清浄手段の性能の低下を防ぐという効果のある空気清浄機を提供できる。
【発明を実施するための最良の形態】
【００３２】
本発明の空気清浄機は上記目的を達成するために、空気を吸い込む吸気口と、吸い込んだ空気を清浄する清浄手段と、この清浄手段に通風する送風手段と、空気を吹き出す排気口を備えた空気清浄機において、空気中の汚れを検知する汚れセンサーを備え、前記汚れセンサーにより空気中の汚れを検知し、検知結果に応答して前記清浄手段の汚れ進行度を測定し記憶することにより、清浄手段の汚れ進行度を的確に把握でき清浄手段の性能低下を防ぐとができるという作用を有する。
【００３３】
また、測定結果により清浄手段の汚れ進行度を表示する表示部を備えたものであり、汚れ度合いが最大となる前に使用者に知らせ、清浄手段の性能低下を防ぐことができるという作用を有する。
【００３４】
また、測定結果により清浄手段の汚れの原因を表示するものであり、使用者に使用環境での汚れ状況を的確に知らせるという作用を有する。
【００３５】
また、測定結果により清浄手段の交換時期あるいはお手入れ時期を表示するものであり、清浄の性能が低下する前に使用者に知らせることができるという作用を有する。
【００３６】
また、汚れセンサーにより検知される汚れは少なくとも２種類以上であるものであり、使用者に汚れ状況を詳細に知らせることができるという作用を有する。
【００３７】
また、清浄手段の交換時期あるいはお手入れ時期を表示する時期は清浄手段の汚れの原因によって相違するものであり、清浄の性能が低下する前に使用者に知らせることができるという作用を有する。
【００３８】
また、清浄手段の汚れ進行度表示手段をＬＥＤの色の変化を用いて表示するものであり、空気清浄機本体から離れた場所からでも汚れの状況が確認できるという作用を有する。
【００３９】
また、清浄手段の汚れ進行度表示手段をＬＥＤの点灯あるいは／および点滅あるいは／および明滅を用いて表示するものであり、空気清浄機本体から離れた場所からでも汚れの状況が確認できるという作用を有する。
【００４０】
また、清浄手段の汚れの原因別に清浄手段の汚れ進行度を表示するものであり、清浄の性能が低下する前に使用者に知らせることができるという作用を有する。
【００４１】
また、清浄手段の交換時期あるいはお手入れ時期を表示する基準値を切替えできる汚れ表示基準値切替手段を備えたものであり、使用者の生活環境に適した空気清浄機が得られるという作用を有する。
【００４２】
また、清浄手段の汚れの進行度をリセットするリセットスイッチを備えたものであり、使用者の生活環境に適した空気清浄機が得られるという作用を有する。
【００４３】
また、清浄手段に汚れ進行度表示を使用者がＯＮ／ＯＦＦできるものであり、汚れ進行度表示を必要とするときは、表示ＯＮにより汚れ進行度が分かり、また、汚れ進行度表示を必要としないときは表示ＯＦＦとすることで、睡眠中に光によって使用者に不快感を与えることなく、また、表示を必要としないとき省エネすることができるという作用を有する。
【００４４】
以下、本発明の実施の形態について図面を参照しながら説明する。
【００４５】
（実施の形態１）
図１は本発明の実施の形態における空気清浄機の構成を示す図である。図１において空気清浄機本体１に室内の空気を吸い込む、吸気口２を設け、この吸気口２より吸い込まれた空気を浄化する浄化手段としてフィルター３を設け、このフィルター３に通風するための手段としてファン４を設け、清浄した空気を吹き出すための排気口５を設け、空気の汚れ度合いを測定する手段としてほこりセンサー６、空気のにおいを測定する手段としてガスセンサー７を設け、汚れ進行度、すなわち汚れ度合いを表示する表示部８を設け、汚れの測定結果に応答して表示部８を制御するマイコン９を設け、測定結果を記憶する記憶部１０を設け、汚れ進行度の汚れ表示の基準値を切替えできる汚れ表示基準値切替手段としての汚れ表示基準値切替スイッチ１１を設け、汚れ進行度をリセットするリセットスイッチ１２を設け、表示部８のＯＮ／ＯＦＦを設定するＯＮ／ＯＦＦスイッチ１３を設け、記憶部１０の測定結果を演算する演算部１４を設け構成する。
【００４６】
以上のように構成する空気清浄機本体１を室内に設置し、汚れ制御手段１５によりフィルターの汚れ進行度を表示する。
【００４７】
フィルター３の清浄能力変化を図２に示す。フィルター３には汚れが蓄積していき清浄能力が所定値、例えば所定値を２０％とすると、清浄能力が２０％を過ぎると交換あるいはお手入れを促すが、その時点に至るまでに清浄能力は低下している。
【００４８】
以下、説明はフィルター３の交換あるいはお手入れを促す際のフルター３の清浄能力所定値２０％とする。
【００４９】
汚れ制御手段１５の一例として、ほこりセンサー６を使用した場合の汚れ制御手段１５を構成する構成図を図３に示す。ほこりセンサー６とマイコン９は接続されている。マイコン９は汚れ進行度を表示する表示部８とほこりセンサーの測定結果を記憶する記憶部１０と記憶された測定結果を演算する演算部１４と接続されている。ほこりセンサー６は汚れを検知するとパルスでマイコン９に送信する。マイコン９は受信したパルスの時間幅を記憶部１０に蓄積する。フィルター３の清浄能力が２０％になるまでに至るまでの時間、例えばパルス時間幅で２００ｓとすると、メモリなどの記憶部１０に蓄積した結果を演算部１４は２００ｓに対しての割合を演算する。その演算結果をマイコン９は表示部８に表示する。例えば、記憶部１０の累積パルス時間幅が１００ｓであると演算部１４で演算し４０％であると表示する。
【００５０】
また、ほこりセンサー６にて粒径小と粒径大を検知する。例えば、粒径小を１０μｍ以下として、それをほこりとし、粒径大を１０〜３０μｍとし、それを花粉とすると、それぞれ検知したパルス時間幅を記憶部１０に記憶させる。フィルター３の清浄能力が２０％となる時間は、ほこりと花粉で個別に設定してあり、フィルター３の汚れ度合いは、ほこりと花粉は個別に、ＭＰＵなどの演算部１４で演算し、ＬＣＤなどの表示部８には演算結果を個別に表示する。
【００５１】
また、汚れ表示基準値切替スイッチ１１により、フィルター３の交換あるいはお手入れの表示をフィルター３の清浄能力がどこまで低下すると表示するかの設定をする。フィルター３の清浄能力変化を図４に示す。フィルター３の清浄能力６０％に至るまでのパルス時間幅を８０ｓ、フィルター３の清浄能力１０％に至るまでのパルス時間幅を３００ｓと設定し、使用者がフィルター３の交換あるいはお手入れの表示をフィルター３の清浄能力がどこまで低下すると表示するか設定する。設定後はフィルター３の各清浄能力に設定されたパルス時間幅に対して演算部にて演算し、演算結果を表示部８に表示する。汚れ表示基準値切替手段としての汚れ表示基準値切替スイッチ１１としては、押しボタンスイッチなどで、汚れ表示する基準値を切替える。
【００５２】
また、汚れ表示基準値切替手段としての汚れ表示基準値切替スイッチ１１により、汚染源別に設定することができる。汚れ表示基準値の切替として、基準値を、例えば、花粉によるフィルター３の清浄能力が６０％になると交換あるいはお手入れ時期の表示を行い、ほこりによるフィルター３の清浄能力が１０％になると交換あるいはお手入れ時期の表示するように設定する。
【００５３】
また、表示部８に表示する汚れ進行度は色の変化を用いて表示する。例えば、演算部１４の演算結果よりフィルター３の清浄能力が１００％時はＬＥＤを用いて青色で表示し、フィルター３の清浄能力が４０％に達すると青色と赤色を表示し、フィルター３の清浄能力が２０％になると赤色で表示し、フィルター３の交換あるいはお手入れも表示する。
【００５４】
また、表示部８に表示する汚れ進行度はＬＥＤの点灯あるいは／および明滅あるいは／および点滅あるいは／および消灯用いて表示する。例えば、演算部１４の演算結果よりフィルター３の清浄能力が１００％時は消灯表示し、フィルター３の清浄能力が６０％時は明滅表示し、フィルター３の清浄能力が４０％時は点滅表示し、フィルター３の清浄能力が２０％時は点灯表示する。
【００５５】
なお、空気の汚れ度合いを測定する手段をほこりセンサーとしたが、空気の汚れを正確に測定できるものであればほこりセンサーでなくてもよい。
【００５６】
次に、汚れ制御手段１５の一例として、ガスセンサー７を使用した場合の汚れ制御手段１５を構成する構成図を図５に示す。ガスセンサー７とマイコン９は接続されている。マイコン９は汚れ進行度を表示する表示部８とほこりセンサーの測定結果を記憶する記憶部１０と記憶された測定結果を演算する演算部１４と接続されている。ガスセンサー７が検知した結果を記憶部１０に蓄積記憶させる。ガスセンサー７がにおいを検知した出力電圧をマイコン９に送信する。マイコン９は出力電圧が変化している時間を記憶部１０に蓄積する。マイコンなどの演算部１４はメモリなどの記憶部１０に蓄積した結果を演算し清浄能力を液晶などの表示部８に表示する。
【００５７】
表示部８の表示方法はほこりセンサーと同様である。この動作を行うことで、フィルターの汚れが最大になる前に汚れの進行度、室内空間の環境状態を視覚的に知らせることができ、ファイルターの性能低下を防ぐことができ、使用する室内環境に適した清浄ができる。
【００５８】
また、リセットスイッチ１２により記憶部１０に記憶された蓄積結果をリセットすることができる。
【００５９】
この動作を行うことで、フィルター３の交換あるいはお手入れ表示をする前にフィルター３の交換あるいはお手入れすることができ、使用者の交換あるいはお手入れ頻度に適応することができる。
【００６０】
また、ＯＮ／ＯＦＦスイッチにより、液晶などの表示部８の表示ＯＮ／表示ＯＦＦを設定できる。このスイッチにより使用者が表示部の表示を表示ＯＮまたは表示ＯＦＦに設定できる。
【００６１】
この動作を行うことで、汚れ度の表示を必要とするときは、表示ＯＮにより汚れ進行度が分かり、また、汚れ進行度表示を必要としないときは、表示ＯＦＦとすることで、睡眠中に光によって使用者に不快感を与えることなく、また、表示を必要としないとき省エネにすることができる。
【産業上の利用可能性】
【００６２】
本発明にかかる空気清浄機は、空気調和機などにも同様の手段を用いることで、清浄の効率の低下を防ぐことができ、空気調和機などにも適用できる。
【図面の簡単な説明】
【００６３】
【図１】本発明の実施形態１の空気清浄機の構成を示す斜影図
【図２】本発明の実施形態１のフィルター清浄能力変化グラフ
【図３】本発明の実施形態１のほこりセンサー６を使用した場合の汚れ制御手段１５を構成する構成図
【図４】本発明の実施形態１のフィルター清浄能力変化設定グラフ
【図５】本発明の実施形態１のガスセンサーを使用した場合の汚れ制御手段を構成する構成図
【図６】従来の空気清浄機の斜影図
【符号の説明】
【００６４】
１      空気清浄機本体
２      吸気口
３      フィルター
４      ファン
５      排気口
６      ほこりセンサー
７      ガスセンサー
８      表示部
９      マイコン
１０    記憶部
１１    汚れ表示基準値切替スイッチ
１２    リセットスイッチ
１３    ＯＮ／ＯＦＦスイッチ
１４    演算部
１５    汚れ制御手段
１０１  空気清浄機本体
１０２  吸気口
１０３  フィルター
１０４  ファン
１０５  制御部
１０６  排気口
１０７  汚れセンサー
１０８  表示部
【図１】
2008237970.tif 000003
【図２】
2008237970.tif 000004
【図３】
2008237970.tif 000005
【図４】
2008237970.tif 000006
【図５】
2008237970.tif 000007
【図６】
2008237970.tif 000008